(57)【特許請求の範囲】
【請求項１】
左右方向に延びる上側ガイドレール（２）に走行自在に案内支持されるランナ本体（５）と、戸パネル（１）の上隅に装着されるランナ台（６）と、ランナ本体（５）とランナ台（６）とをつなぐランナ軸（７）とからなり、
ランナ本体（５）に設けた前後位置調整機構が、ランナ本体（５）のランナブロック（８）に設けた上下貫通状の貫通孔（１０）に挿嵌されて回転操作可能に支持される回転操作軸（１１）と、回転操作軸（１１）の回転中心から外れた偏心位置に配置した前記ランナ軸（７）とからなり、
回転操作軸（１１）の上端に形成した鍔部（１３）を、ランナブロック（８）の上面に設けた円形の凹部（１２）で受け止めて、回転操作軸（１１）が下方へ抜け止めされており、
上側ガイドレール（２）の外側下方に臨む回転操作軸（１１）の下端が、回転操作軸（１１）を回転操作するための操作部（１５）になっており、
ランナ本体（５）と回転操作軸（１１）との間に、回転操作軸（１１）を一定角度ずつ節度をもって順送りしながら所定の回転位置に保持する節度手段（２５）が設けられており、
前記節度手段（２５）が、ランナブロック（８）の前記凹部（１２）の外周の前後に形成した左右一対のガイド壁（２６・２６）と、両ガイド壁（２６・２６）の間の溝（２７）と、前記鍔部（１３）の外周に一定間隔置きに設けた係合突部（２９）とで構成されており、
前記係合突部（２９）が前記溝（２７）に順送りで嵌入係合して回転操作軸（１１）を所定の回転位置に保持している戸パネル用のランナユニット。
【請求項２】
左右方向に延びる下側ガイドレール（３）に下端のガイド部（４０）が走行自在に案内されるランナ軸（４１）と、戸パネル（１）の下面に埋設固定されるホルダ（４２）と、ホルダ（４２）内に下方から挿嵌されて縦軸心まわりに回転操作可能に支持される回転操作体（４３）とからなり、
回転操作体（４３）の回転中心から外れた偏心位置に設けた上下方向の軸穴（４５）に、前記ランナ軸（４１）の上端が上下動自在に支持されて、ランナ軸（４１）がばね（６６）で下向きに押圧付勢されており、
ホルダ（４２）の下面から突出する回転操作体（４３）の下端が、回転操作体（４３）を回転操作するための操作部（６７）になっており、
ホルダ（４２）と回転操作体（４３）との間に、回転操作体（４３）を一定角度ずつ節度をもって順送りしながら所定の回転位置に保持する節度手段（７０）が設けられており、
前記節度手段（７０）が、操作部（６７）の上方外周の対向位置に突設した係合突部（７１・７１）と、ホルダ（４２）の鍔壁（５３）の外周に下向きに突設した円環状のガイド壁（７２）と、ガイド壁（７２）に一定間隔置きに形成した係合溝（７３）とで構成されており、
前記係合突部（７１・７１）が前記係合溝（７３）と順に係合して、回転操作体（４３）を所定の回転位置に保持する戸パネル用のランナユニット。  
【発明の詳細な説明】
【０００１】
【発明の属する技術分野】
本発明は、左右方向に延びるガイドレールに沿って引き戸や吊り戸などの戸パネルを走行案内するランナユニットに関し、とくにガイドレールに対する戸パネルの前後位置を調整可能としたものである。
【０００２】
【従来の技術】
例えば、添付図面を借りて説明すると、左右方向に延びる上側ガイドレール２に走行自在に案内支持されるランナ本体５と、戸パネル１の上隅に装着されるランナ台６と、ランナ本体５とランナ台６とをつなぐランナ軸７とからなる戸パネル用のランナユニットにおいて、上側ガイドレール２に対する戸パネル１の前後位置を調整可能とした従来技術に特開平８−２１１４５号公報がある。そこでの前後位置調整機構は、戸パネル１の上隅に設けた取付け穴１６にホルダ１７を介してランナ台６を装着するに際し、ホルダ１７側に設けたカム溝にランナ軸７を挿通しておき、ホルダ１７に対してランナ台６を左右横方向に調整ねじで送り操作すると、ランナ本体５に対してランナ台６が相対的に前後方向へ移動調整される。つまり結果的には、上側ガイドレール２に対して戸パネル１が前後の厚み方向に位置調整されるものとなっている。
【０００３】
かかる前後位置調整機構を備えていると、上側ガイドレール２にランナユニットを介して戸パネル１を吊り込んだ状態のままで戸パネルの吊り姿勢を調整できるので、戸パネルや戸枠などに寸法上のバラつきがあっても適正に対応できる。経年使用などによって戸パネルに反り変形が生じた場合にも、例えば前後に近接配置した戸パネルどうしが当たり干渉するのを解消できることになる。
【０００４】
【発明が解決しようとする課題】
しかし前出の従来例では、ホルダ１７にランナ台６を左右方向に移動可能に装着したうえで、ホルダ１７側にカム溝を設ける必要があり、構造が複雑化して部品点数が多く、製作コストが高く付く点に問題があった。
【０００５】
そこで本発明の目的は、構造が簡単で構成部品が必要最小限で足り、操作も容易に行える前後位置調整機構付きの戸パネル用ランナユニットを提供することにある。
【０００６】
【課題を解決するための手段】
本発明に係る上側ランナユニットＡは、図１に示すごとく、左右方向に延びる上側ガイドレール２に走行自在に案内支持されるランナ本体５と、戸パネル１の上隅に装着されるランナ台６と、ランナ本体５とランナ台６とをつなぐランナ軸７とからなる。ランナ本体５に設けた前後位置調整機構は、ランナ本体５のランナブロック８に設けた上下貫通状の貫通孔１０に挿嵌されて回転操作可能に支持される回転操作軸１１と、回転操作軸１１の回転中心から外れた偏心位置に配置した前記ランナ軸７とからなる。回転操作軸１１の上端に形成した鍔部１３を、ランナブロック８の上面に設けた円形の凹部１２で受け止めて、回転操作軸１１を下方へ抜け止めする。上側ガイドレール２の外側下方に臨む回転操作軸１１の下端は、回転操作軸１１を回転操作するための操作部１５になっている。ランナ本体５と回転操作軸１１との間に、回転操作軸１１を一定角度ずつ節度をもって順送りしながら所定の回転位置に保持する節度手段２５を設ける。前記節度手段２５は、ランナブロック８の前記凹部１２の外周の前後に形成した左右一対のガイド壁２６・２６と、両ガイド壁２６・２６の間の溝２７と、前記鍔部１３の外周に一定間隔置きに設けた係合突部２９とで構成する。前記係合突部２９が前記溝２７に順送りで嵌入係合して回転操作軸１１を所定の回転位置に保持する。
【００１０】
また、本発明に係る下側ランナユニットＢは、図６に示すごとく、左右方向に延びる下側ガイドレール３に下端のガイド部４０が走行自在に案内されるランナ軸４１と、戸パネル１の下面に埋設固定されるホルダ４２と、ホルダ４２内に下方から挿嵌されて縦軸心まわりに回転操作可能に支持される回転操作体４３とからなる。回転操作体４３の回転中心から外れた偏心位置に設けた上下方向の軸穴４５に、前記ランナ軸４１の上端が上下動自在に支持されて、ランナ軸４１がばね６６で下向きに押圧付勢されている。ホルダ４２の下面から突出する回転操作体４３の下端は、回転操作体４３を回転操作するための操作部６７になっている。ホルダ４２と回転操作体４３との間に、回転操作体４３を一定角度ずつ節度をもって順送りしながら所定の回転位置に保持する節度手段７０を設ける。節度手段７０は、操作部６７の上方外周の対向位置に突設した係合突部７１・７１と、ホルダ４２の鍔壁５３の外周に下向きに突設した円環状のガイド壁７２と、ガイド壁７２に一定間隔置きに形成した係合溝７３とで構成する。係合突部７１・７１が前記係合溝７３と順に係合して、回転操作体４３を所定の回転位置に保持する。
【００１２】
【発明の作用効果】
本発明によれば、上側ガイドレール２に戸パネル１を吊り込んだ状態のまま、回転操作軸１１を回転操作すると、ランナ軸７が回転操作軸１１の偏心位置にあるので、ランナ軸７が前後方向に変位する。その結果、ランナ軸７を介して上側ガイドレール２に対し戸パネル１を前後の厚み方向に移動調整できる。そこでは、ランナ本体５にランナ軸７を回転操作軸１１を介して支持するだけであり、部材としては回転操作軸１１を付加するだけで足りるので、構造の簡略化を図って製作コストの削減化が図れる。
【００１３】
上側ガイドレール２の外側下方に臨む回転操作軸１１の下端が、そのまま回転操作軸１１を回転操作するための操作部１５になっておれば、回転操作用の調整ねじも不要となって部材点数の最小限化に有利であるとともに、上側ガイドレール２とランナ台６の上面との間に生じる隙間を利用して、戸パネル１を吊り込んだ姿勢のままスパナなどの工具で回転操作軸１１を現場にて容易に回転操作できる。
【００１４】
ランナ本体５と回転操作軸１１との間に節度手段２５が設けられていると、前後方向の位置調整がクリック感をもって過不足無く容易に行え、かつ調整後に戸パネル１の開閉衝撃などを受けても回転操作軸１１が妄動回転をすることがないものとなる。
【００１６】
また、本発明は、左右方向に延びる下側ガイドレール３に下端のガイド部４０が走行自在に案内されるランナ軸４１と、戸パネル１の下面に埋設固定されてランナ軸７を支持するホルダ４２とからなる下側ランナユニットＢにおいても、ホルダ４２に回転操作体４３を縦軸心まわりに回転操作可能に支持し、この回転操作体４３の回転中心から外れた偏心位置に前記ランナ軸４１の上端が支持されている。従って、ここでも回転操作体４３を回転操作すれば、ランナ軸４１が前後方向に変位する。その結果、ランナ軸４１を介して戸パネルの下端側は下側ガイドレール３に沿って円滑に走行案内することができる。ランナ軸４１の上端側は回転操作体４３を介してホルダ４２に支持するだけであり、部材としては回転操作体４３を付加するだけで足りるので、構造の簡略化を図って製作コストの低減化が図れる。
【００１７】
ホルダ４２の下面から突出する回転操作体４３の下端が、そのまま回転操作体４３を回転操作するための操作部６７になっておれば、回転操作用の調整ねじの類も不要となって部品点数の最小限化に有利であるとともに、下側ガイドレール３と戸パネル１の下面との間に生じる隙間を利用して、スパナなどの工具で回転操作体４３を現場にて容易に回転操作できる。
【００１８】
ホルダ４２と回転操作体４３との間に、節度手段７０が設けられていると、前後方向の位置調整がクリック感をもって過不足無く容易に行え、かつ調整後に戸パネル１の開閉衝撃などを受けても回転操作軸１１が妄動回転をすることがないものとなる。
【００１９】
【発明の実施の形態】
図面は本発明に係るランナユニットを引き戸に適用した実施例を示す。図１および図２において、符号１は木製の戸パネル（引き戸）であり、２は左右方向に延びる上側ガイドレールである。図６において、符号３は左右方向に延びる下側ガイドレールである。上側と下側のガイドレール２・３はいずれもアルミニウム型材からなる。
【００２０】
図示例の上側ガイドレール２は、図２に示すごとく前後一対のレール部２ａ・２ａを有し、各レール部２ａ・２ａに前後の戸パネル１・１が近接する状態で吊り掛けられている。すなわち、各戸パネル１の両側端の上隅が、上側ガイドレール２に上側ランナユニットＡで吊り掛け支持されている。そして各戸パネル１の両側端の下面側が、下側ガイドレール３に下側ランナユニットＢで振れ止め状に支持されている。
【００２１】
上側ランナユニットＡは、上側ガイドレール２に走行自在に案内支持されるランナ本体５と、戸パネル１の両側端の上隅に装着されるランナ台６と、ランナ本体５とランナ台６とをつなぐ縦長のランナ軸７とからなる。
【００２２】
図１ないし図３に示すごとくランナ本体５は、左右横長の四角形状に形成されたフラスチック製のランナブロック８の前後左右に４個のローラ９を軸支してなる。ランナブロック８の中央には、貫通孔１０を上下貫通状に設け、この貫通孔１０に回転操作軸１１を上方から挿嵌して下方への抜け止めを図っている。その抜け止め手段として、ランナ本体５のランナブロック８の上面には、前記貫通孔１０まわりに円形の凹部１２が形成されており、回転操作軸１１の上端外周に円形の鍔部１３が形成されており、前記凹部１２に前記鍔部１３を嵌合して受け止めることにより、ランナ本体５に対する回転操作軸１１の下方への抜け止めが図られている。
【００２３】
回転操作軸１１の下端部は、ランナブロック８の下面より下方に突出していて、この突出下端部が外周面を六角形などの角形に形成することで操作部１５になるようにしてある。上側ガイドレール２内にランナ本体５がローラ９を介して走行自在に支持された状態において、回転操作軸１１の下端の操作部１５は、上側ガイドレール２の開口を介して該レール２の外側下方に臨んでいる。
【００２４】
戸パネル１の両側端の上隅には、上面および外側方が開口する取付け穴１６を形成してあり、この取付け穴１６にホルダ１７を介してランナ台６が装着される。ホルダ１７は上面および外側方が開口しており、ビス１９で取付け穴１６に固定される。
【００２５】
ランナ台６は、下面が開口するフラスチック成形品であり、ホルダ１７にこれの横外側方から挿嵌されて上方への抜け止めが図られたうえで、ビス２０にて取付け穴１６に横外側方へは抜け止め状に固定される。
【００２６】
ランナ本体５側には、戸パネル１の吊り位置をその前後厚み方向へ調整するための前後位置調整機構を備えており、ランナ台６の内部には、戸パネル１の吊り高さを調整するための上下高さ調整機機構を備えている。ランナ軸７は、上端側が前後位置調整機構を介してランナ本体５につながっており、下端側が上下高さ調整機機構を介してランナ台６につながっている。
【００２７】
図１および図４において、前後位置調整機構は、ランナ本体５のランナブロック８に前述の要領で縦軸心まわりに回転操作可能に支持した先の回転操作軸１１と、この回転操作軸１１の回転中心から外れた偏心位置に配置される前記ランナ軸７とからなる。すなわち、回転操作軸１１には、これの回転中心から外れた偏心位置に軸孔２２を上下貫通状に設け、この軸孔２２に下端側からランナ軸７を挿嵌し、ランナ軸７の上端にカシメ止めした止め金具２３でランナ軸７の下方への抜け止めを図っている。
【００２８】
スパナのような工具で操作部１５を介して回転操作軸１１をランナ軸７ごと回転操作すると、ランナ本体５のランナブロック８上で回転操作軸１１は定点回転するのに対し、回転操作軸１１上の偏心位置にあるランナ軸７は、前後方向に変位する。これにより、ランナ本体５に対してランナ台６が前後方向へ相対的に移動する。但し、ランナ本体５は上側ガイドレール２の定位置にあり、ランナ台６は戸パネル１側に固定されているので、上側ガイドレール２に対して戸パネル１の吊り位置をこれの前後厚み方向へ調整できることになる。
【００２９】
ランナ本体５と回転操作軸１１との間には、回転操作軸１１を一定角度ずつ節度をもって順送りに回転操作し、かつ所定の回転位置に保持するための節度手段２５を有する。図示例の節度手段２５としては、図５に示すごとくランナブロック８の前記凹部１２の外周の前後に左右一対のガイド壁２６・２６が溝２７を介して立ち上げ形成され、回転操作軸１１の前記鍔部１３の外周に係合突部２９が一定間隔置き（図示例では８等分点位置）に設けられており、各係合突部２９が順送りで前記ガイド壁２６・２６間の前記溝２７に嵌入係合するようになっている。すなわち、ランナ軸７を前後方向に±２mmの幅寸法で変位可能とする場合は、回転操作軸１１を右または左に４５°回転させる毎に係合突部２９が溝２７に係合してランナ軸７が１mmずつ変位するようになっている。
【００３０】
かかる節度手段２５を備えていると、回転操作軸１１を一定角度ずつ過不足無しに回転操作でき、かつ戸パネル１の開閉に伴う外部衝撃などを受けても、回転操作軸１１が不用意に妄動回転して調整後に戸パネル１が位置ずれするのをよく防止できるものとなる。
【００３１】
ランナ台６内における上下高さ調整機構としては、図１に示すごとく軸３０を中心にして揺動する揺動アーム３１と、揺動アーム３１の下部に支持した金属製の板ナットからなる雌ねじ体３２と、雌ねじ体３２を介して揺動アーム３１を揺動操作する調整ビス３３と、調整ビス３３を抜け止め保持する止め金具３５とからなり、揺動アーム３１の二股状の上腕部３６でランナ軸７の下端の受板３７を上下操作する。すなわち、受板３７の上面が上腕部３６に当たることでランナ軸７の上動限界を規制している。軸３０はランナ台６の前後壁に設けられた軸孔に支持されている。
【００３２】
ランナ台６の横外側方からドライバで調整ビス３３を回転操作すると、揺動アーム３１が軸３０まわりに揺動操作され、これでランナ軸７の上下高さを調整できる。このように、前後位置調整機構に加えて上下高さ調整機構を備えたランナユニットＡによれば、戸パネル１を吊り込んだ状態のままで、吊り姿勢を前後および上下に調整できるので、戸パネル１や戸枠に寸法などのばらつきがある場合でも、両調整機構を調整操作するだけで適正に吊り込みを行うことができ、施工後のメンテナンスも容易となる。
【００３３】
戸パネル１の両側端の下面には、戸パネルの前後方向の振れ止めを図って戸パネル１を下側ガイドレール３に沿って走行案内する下側ランナユニットＢが設けられている。
【００３４】
図６および図７において、下側ランナユニットＢは、下端のガイド部４０が下側ガイドレール３に走行案内される縦長のランナ軸４１と、戸パネル１の下面に埋設状に固定される縦長筒状のホルダ４２と、ホルダ４２内に下方から挿嵌されて縦軸心まわりに回転操作可能な回転操作体４３とからなり、回転操作体４３の回転中心から外れた偏心位置に上下方向の軸孔４５を設け、この軸孔４５にランナ軸４１が上下動自在に下方へは抜け止め状に支持されている。
【００３５】
ランナ軸４１の下端のガイド部４０は、鍔部４６付きのローラ４７からなり、ランナ軸４１の下端にランナ軸心まわりに回転自在に装着されている。下側ガイドレール３は、床面Ｆに埋設される浅底の断面Ｕ字形状に形成された溝本体４９の開口上端にフランジ５０を有する。戸パネル１を下側ガイドレール３に沿って走行させたとき、ガイド部４０は、ローラ４７が溝本体４９内に嵌入して溝本体４９の前後の対向内側面に接触して回転し、鍔部４６がフランジ５０の上面に後述する要領で常に押しつけられた状態で摺接する。
【００３６】
ホルダ４２は、縦長円筒状の縦筒５１と、縦筒５１の上面を塞ぐ上壁５２と、縦筒５１の下端外周に張り出し形成した鍔壁５３とを有し、戸パネル１に設けた上下向きの取付け穴５５にこれの開口下面側から圧入嵌合されて固定される。
【００３７】
回転操作体４３は、ブロック状の本体部５６から円筒状の筒壁５７と、この筒壁５７内を仕切る仕切り壁５９とをそれぞれ立ち上げ、筒壁５７の上面を塞ぐ上壁６０を有する。回転操作体４３は、その筒壁５７をホルダ４２の縦筒５１にこれの下方から挿嵌する。ホルダ４２の上壁５２の中央には係止口６１を上下貫通状に設けてあり、回転操作体４３の上壁６０の中央には、係止片６２を上向きに突設してあり、係止片６２が係止口６１に嵌入して係止している。これてホルダ４２内に挿嵌した回転操作体４３は、縦軸心まわりに回転自在であるが、係止口６１と係止片６２とで下方への抜け止めが図られている。
【００３８】
先の軸孔４５は、回転操作体４３の本体部５６に縦向きに設けてあり、筒壁５７内の仕切り壁５９で仕切られた中空内部６３が、これより径小の軸孔４５に通じている。ランナ軸４１の上端には径大の抜け止め部６５を有し、軸孔４５にこれの下方から抜け止め部６５が前記中空内部６３に押し込まれて納まり、該中空内部６３に装着した圧縮コイルばね６６が抜け止め部６５に弾発作用している。
【００３９】
すなわち、回転操作体４３に対してランナ軸４１は、抜け止め部６５で下方への抜け止めが図られながら上下動自在であって、圧縮コイルばね６６で常に下向きに押圧付勢されている。この圧縮コイルばね６６の押圧力を受けて、ランナ軸４１の下端のガイド部４０は、鍔部４６が前記フランジ５０で受け止められてローラ４７が浅溝状の下側ガイドレール３に嵌入状態で走行案内される。
【００４０】
ランナ軸４１の縦軸心は、前記ガイド部４０が下側ガイドレール３に対して前後に位置ずれしないように調整する必要がある。そのために、回転操作体４３の本体部５６の下端は、ホルダ４２の下面より下方に突出していて、この突出下端が外周面を六角形などの角形に形成することで操作部６７になるようにしてある。この操作部６７は、ホルダ４２と床面Ｆとの間にあって外部から操作可能である。
【００４１】
従って、スパナのような工具で操作部６７を介して回転操作体４３をランナ軸４１ごと回転操作すると、ホルダ４２に支持された回転操作体４３は定点回転するのに対し、回転操作体４３上の偏心位置にあるランナ軸４１は、これの軸心が前後方向に変位する。これにより、ランナ軸４１の下端のガイド部４０を下側ガイドレール３にこじれることなく走行案内できる。
【００４２】
ホルダ４２と回転操作体４３との間には、回転操作体４３を一定角度ずつ節度をもって順送りに回転操作し、かつ所定の回転位置に保持するための節度手段７０を有する。図示例の節度手段７０としては、図７に示すごとく回転操作体４３の本体部５６において、下端寄りの操作部６７の上方外周に２個の係合突部７１・７１を対向位置に突設し、ホルダ４２の鍔壁５３の外周に円環状のガイド壁７２を下向きに突設し、このガイド壁７２にいくつかの図示例では１２個の係合溝７３を一定間隔置きに形成し、回転操作体４３を回転することにより、前記係合突部７１が係合溝７３に乗り越え係合するようになっている。すなわち、回転操作体４３を右または左に３０°回転させる毎に、係合突部７１が隣の係合溝７３に順に係合してランナ軸４１が0.６mmずつ段階的に変位するようになっている。
【００４３】
かかる節度手段７０を備えていると、回転操作体４３を一定角度ずつ過不足無しに回転操作でき、かつ戸パネル１の開閉に伴う外部衝撃などを受けても、回転操作体４３が不用意に妄動回転して調整後に戸パネル１が位置ずれするのをよく防止できるものとなる。
【００４４】
上記の実施例以外に、吊車型の上側ランナユニットＡと振れ止め用の下側ランナユニットＢはそれぞれ折り戸に適用することができる。下側ランナユニットＢのガイド部４０は、必ずしもローラ４７を備えている必要はない。上側ランナユニットＡにおいて、回転操作軸１１の下端にランナ軸７がねじなどで固定されていてもよく、要はランナ軸７が回転軸１１に対して偏心していれば足りる。
【図面の簡単な説明】
【図１】上側ランナユニットの組み付け状態を示す縦断正面図
【図２】上側ガイドレールを示す縦断側面図
【図３】上側ランナユニットの平面図
【図４】上側ランナユニットの斜視図
【図５】上側ランナユニットの拡大平面図
【図６】下側ランナユニットの縦断正面図
【図７】図６におけるＰ−Ｐ線断面図
【符号の説明】
１  戸パネル
２  上側ガイドレール
３  下側ガイドレール
５  ランナ本体
６  ランナ台
７  上側ランナユニットのランナ軸
８  ランナブロック
１０  貫通孔
１１  回転操作軸
１５  上側ランナユニットの操作部
２５  上側ランナユニットの節度手段
４０  ランナ軸のガイド部
４１  下側ランナユニットのランナ軸
４２  ホルダ
４３  回転操作体
６７  下側ランナユニットの操作部
７０  下側ランナユニットの節度手段
【図１】
0004481431.tif 000002
【図２】
0004481431.tif 000003
【図３】
0004481431.tif 000004
【図４】
0004481431.tif 000005
【図５】
0004481431.tif 000006
【図６】
0004481431.tif 000007
【図７】
0004481431.tif 000008